【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
使用者の立ち姿勢を矯正する姿勢矯正方法であって、
足の拇指球の位置である拇指球位置、及び小指球の位置である小指球位置、及び踵の内側の位置である踵内側位置、及び踵の外側の位置である踵外側位置の４位置のうちの３位置において各々対応する位置の足骨を持ち上げる足骨支持部を備える履き物をそれら足骨支持部の配置の違いに応じて複数用意し、それら足骨支持部の配置が異なる履き物を右足及び左足にそれぞれ選択的に適用することによって使用者の立ち姿勢を矯正することを特徴とする姿勢矯正方法。
【請求項２】
前記履き物をそれら足骨支持部の高さの違いも含めて複数用意し、それら足骨支持部の配置及び高さが異なる履き物を右足及び左足にそれぞれ選択的に適用することによって使用者の立ち姿勢を矯正することを特徴とする請求項１に記載の姿勢矯正方法。
【請求項３】
使用者の立ち姿勢を矯正する姿勢矯正方法であって、
足の拇指球の位置である拇指球位置、及び小指球の位置である小指球位置、及び踵の内側の位置である踵内側位置、及び踵の外側の位置である踵外側位置の４位置のうちの３位置において各々対応する位置の足骨を持ち上げる足骨支持部を備える履き物をそれら足骨支持部の高さの違いに応じて複数用意し、それら足骨支持部の高さが異なる履き物を右足及び左足にそれぞれ選択的に適用することによって使用者の立ち姿勢を矯正することを特徴とする姿勢矯正方法。
【請求項４】
請求項１〜３のいずれか１項に記載の姿勢矯正方法を用いて使用者の立ち姿勢を矯正することを特徴とする履き物セット。
【請求項５】
使用者の立ち姿勢を矯正する姿勢矯正方法であって、
足の拇指球の位置である拇指球位置、及び小指球の位置である小指球位置、及び踵の内側の位置である踵内側位置、及び踵の外側の位置である踵外側位置の４位置のうちの３位置において各々対応する位置の足骨を持ち上げる足骨支持部を備える履き物の内部構造体をそれら足骨支持部の配置の違いに応じて複数用意し、それら足骨支持部の配置が異なる履き物の内部構造体を右足及び左足にそれぞれ選択的に適用することによって使用者の立
ち姿勢を矯正することを特徴とする姿勢矯正方法。
【請求項６】
前記履き物の内部構造体をそれら足骨支持部の高さの違いも含めて複数用意し、それら足骨支持部の配置及び高さが異なる内部構造体を右足及び左足にそれぞれ選択的に適用することによって使用者の立ち姿勢を矯正することを特徴とする請求項５に記載の姿勢矯正方法。
【請求項７】
使用者の立ち姿勢を矯正する姿勢矯正方法であって、
足の拇指球の位置である拇指球位置、及び小指球の位置である小指球位置、及び踵の内側の位置である踵内側位置、及び踵の外側の位置である踵外側位置の４位置のうちの３位置において各々対応する位置の足骨を持ち上げる足骨支持部を備える履き物の内部構造体をそれら足骨支持部の高さの違いに応じて複数用意し、それら足骨支持部の高さが異なる履き物の内部構造体を右足及び左足にそれぞれ選択的に適用することによって使用者の立ち姿勢を矯正することを特徴とする姿勢矯正方法。
【請求項８】
請求項５〜７のいずれか１項に記載の姿勢矯正方法を用いて使用者の立ち姿勢を矯正することを特徴とする履き物の内部構造体セット。
【手続補正２】
【補正対象書類名】明細書
【補正対象項目名】発明の名称
【補正方法】変更
【補正の内容】
【発明の名称】姿勢矯正方法、履き物セット及びその内部構造体セット
【手続補正３】
【補正対象書類名】明細書
【補正対象項目名】０００１
【補正方法】変更
【補正の内容】
【０００１】
本発明は、姿勢矯正方法、履き物セット及びその内部構造体セットに関する。
【手続補正４】
【補正対象書類名】明細書
【補正対象項目名】０００５
【補正方法】変更
【補正の内容】
【０００５】
本発明は、上記問題点に鑑みてなされたものであり、その目的は、立ち姿勢の矯正を容易に行うことができる姿勢矯正方法、履き物セット及びその内部構造体セットを提供することにある。
【手続補正５】
【補正対象書類名】明細書
【補正対象項目名】０００６
【補正方法】変更
【補正の内容】
【０００６】
請求項１に記載の発明は、使用者の立ち姿勢を矯正する姿勢矯正方法であって、足の拇指球の位置である拇指球位置、及び小指球の位置である小指球位置、及び踵の内側の位置である踵内側位置、及び踵の外側の位置である踵外側位置の４位置のうちの３位置において、各々対応する位置の足骨を持ち上げる足骨支持部を備える履き物をそれら足骨支持部の配置の違いに応じて複数用意し、それら足骨支持部の配置が異なる履き物を右足及び左
足にそれぞれ選択的に適用することによって使用者の立ち姿勢を矯正することを要旨とする。
【手続補正６】
【補正対象書類名】明細書
【補正対象項目名】０００７
【補正方法】変更
【補正の内容】
【０００７】
請求項１に記載の発明によれば、拇指球位置、小指球位置、踵内側位置及び踵外側位置にそれぞれ対応して、対応する位置の足骨を突き上げる足骨支持部の配置を変更した履き物を複数用意する。そして、履き物を右足及び左足にそれぞれ選択的に適用する。このため、使用者の骨格の歪みの要因となる位置に足骨支持部が設けられた履き物を選択することによって、人それぞれ異なる骨格の前後左右のバランスを理想的なバランスに整えることができる。
【手続補正７】
【補正対象書類名】明細書
【補正対象項目名】０００８
【補正方法】変更
【補正の内容】
【０００８】
請求項２に記載の発明は、前記履き物をそれら足骨支持部の高さの違いも含めて複数用意し、それら足骨支持部の配置及び高さが異なる履き物を右足及び左足にそれぞれ選択的に適用することによって使用者の立ち姿勢を矯正することを要旨とする。
請求項２に記載の発明によれば、足骨支持部は、その配置及び高さが各別に設定されているので、人それぞれ異なる骨格バランスの崩れ方の度合いに対応することができる。
【手続補正８】
【補正対象書類名】明細書
【補正対象項目名】０００９
【補正方法】変更
【補正の内容】
【０００９】
請求項３に記載の発明は、使用者の立ち姿勢を矯正する姿勢矯正方法であって、足の拇指球の位置である拇指球位置、及び小指球の位置である小指球位置、及び踵の内側の位置である踵内側位置、及び踵の外側の位置である踵外側位置の４位置のうちの３位置において各々対応する位置の足骨を持ち上げる足骨支持部を備える履き物をそれら足骨支持部の高さの違いに応じて複数用意し、それら足骨支持部の高さが異なる履き物を右足及び左足にそれぞれ選択的に適用することによって使用者の立ち姿勢を矯正することを要旨とする。
【手続補正９】
【補正対象書類名】明細書
【補正対象項目名】００１０
【補正方法】変更
【補正の内容】
【００１０】
請求項３の発明によれば、拇指球位置、小指球位置、踵内側位置及び踵外側位置にそれぞれ対応して、対応する位置の足骨を突き上げる足骨支持部の高さを変更した履き物を複数用意する。そして、履き物を右足及び左足にそれぞれ選択的に適用する。このため、使用者の骨格の歪みの要因となる位置に足骨支持部が設けられた履き物を選択することによって、人それぞれ異なる骨格の前後左右のバランスを理想的なバランスに整えることができる。
【手続補正１０】
【補正対象書類名】明細書
【補正対象項目名】００１１
【補正方法】変更
【補正の内容】
【００１１】
請求項４に記載の履き物セットは、請求項１〜３のいずれか１項に記載の姿勢矯正方法を用いて使用者の立ち姿勢を矯正することを要旨とする。
【手続補正１１】
【補正対象書類名】明細書
【補正対象項目名】００１２
【補正方法】変更
【補正の内容】
【００１２】
請求項４に記載の発明によれば、履き物は、拇指球位置、小指球位置、踵内側位置及び踵外側位置の４位置のうち、３位置において、各々対応する位置の足骨を持ち上げる足骨支持部を備える。このため、骨格の歪みの要因となる位置に足骨支持部が設けられた履き物を履くことによって、重心位置が適切な位置となって、人それぞれ異なる前後左右のバランスが整えられ、使用者の立ち姿勢を理想的な姿勢にすることができる。
【手続補正１２】
【補正対象書類名】明細書
【補正対象項目名】００１３
【補正方法】変更
【補正の内容】
【００１３】
請求項５に記載の発明は、使用者の立ち姿勢を矯正する姿勢矯正方法であって、足の拇指球の位置である拇指球位置、及び小指球の位置である小指球位置、及び踵の内側の位置である踵内側位置、及び踵の外側の位置である踵外側位置の４位置のうちの３位置において各々対応する位置の足骨を持ち上げる足骨支持部を備える履き物の内部構造体をそれら足骨支持部の配置の違いに応じて複数用意し、それら足骨支持部の配置が異なる履き物の内部構造体を右足及び左足にそれぞれ選択的に適用することによって使用者の立ち姿勢を矯正することを要旨とする。
請求項５に記載の発明によれば、拇指球位置、小指球位置、踵内側位置及び踵外側位置にそれぞれ対応して、対応する位置の足骨を突き上げる足骨支持部の配置を変更した履き物を複数用意する。そして、履き物を右足及び左足にそれぞれ選択的に適用する。このため、使用者の骨格の歪みの要因となる位置に足骨支持部が設けられた履き物を選択することによって、人それぞれ異なる骨格の前後左右のバランスを理想的なバランスに整えることができる。
【手続補正１３】
【補正対象書類名】明細書
【補正対象項目名】００１４
【補正方法】変更
【補正の内容】
【００１４】
請求項６に記載の発明は、前記履き物の内部構造体をそれら足骨支持部の高さの違いも含めて複数用意し、それら足骨支持部の配置及び高さが異なる内部構造体を右足及び左足にそれぞれ選択的に適用することによって使用者の立ち姿勢を矯正することを要旨とする。
【手続補正１４】
【補正対象書類名】明細書
【補正対象項目名】００１５
【補正方法】変更
【補正の内容】
【００１５】
請求項６に記載の発明によれば、足骨支持部は、その配置及び高さが各別に設定されているので、人それぞれ異なる骨格バランスの崩れ方の度合いに対応することができる。
【手続補正１５】
【補正対象書類名】明細書
【補正対象項目名】００１６
【補正方法】変更
【補正の内容】
【００１６】
請求項７に記載の発明は、使用者の立ち姿勢を矯正する姿勢矯正方法であって、足の拇指球の位置である拇指球位置、及び小指球の位置である小指球位置、及び踵の内側の位置である踵内側位置、及び踵の外側の位置である踵外側位置の４位置のうちの３位置において各々対応する位置の足骨を持ち上げる足骨支持部を備える履き物の内部構造体をそれら足骨支持部の高さの違いに応じて複数用意し、それら足骨支持部の高さが異なる履き物の内部構造体を右足及び左足にそれぞれ選択的に適用することによって使用者の立ち姿勢を矯正することを要旨とする。
【手続補正１６】
【補正対象書類名】明細書
【補正対象項目名】００１７
【補正方法】変更
【補正の内容】
【００１７】
請求項７に記載の発明によれば、拇指球位置、小指球位置、踵内側位置及び踵外側位置にそれぞれ対応して、対応する位置の足骨を突き上げる足骨支持部の高さを変更した履き物を複数用意する。そして、履き物を右足及び左足にそれぞれ選択的に適用する。このため、使用者の骨格の歪みの要因となる位置に足骨支持部が設けられた履き物を選択することによって、人それぞれ異なる骨格の前後左右のバランスを理想的なバランスに整えることができる。
請求項８に記載の履き物の内部構造体セットは、請求項５〜７のいずれか１項に記載の姿勢矯正方法を用いて使用者の立ち姿勢を矯正することを要旨とする。
請求項８の発明によれば、履き物の内部構造体は、拇指球位置、小指球位置、踵内側位置及び踵外側位置の４位置のうち、３位置において、各々対応する位置の足骨を持ち上げる足骨支持部を備える。このため、骨格の歪みの要因となる位置に足骨支持部が設けられた履き物を履くことによって、重心位置が適切な位置となって、人それぞれ異なる前後左右のバランスが整えられ、使用者の立ち姿勢を理想的な姿勢にすることができる。